(57)【要約】【課題】煩雑で大掛かりな天井改修工事を行うことなく、容易に施工することができる天井振動低減構造を提供することを目的とする。【解決手段】天井下地３，４の下面に天井材５が固定された構成からなる天井１の振動を低減させる天井振動低減構造において、天井材５の下方に、端部が建物躯体１３に固定されたワイヤー１２が緊張した状態で水平に伸張され、ワイヤー１２と天井下地３とが連結されている。【選択図】図１
2008121371.tif 000002
【特許請求の範囲】
【請求項１】
天井下地の下面に天井材が固定された構成からなる天井の振動を低減させる天井振動低減構造において、
前記天井材の下方に、端部が建物躯体に固定されたワイヤーが緊張した状態で水平に伸張され、該ワイヤーと前記天井下地とが連結されていることを特徴とする天井振動低減構造。
【請求項２】
請求項１記載の天井振動低減構造において、
前記ワイヤーが、前記天井材の下方で格子状に配されていることを特徴とする天井振動低減構造。
【請求項３】
請求項１または２記載の天井振動低減構造において、
前記ワイヤー端部が、前記建物躯体の鉛直面に沿って伸張されて該建物躯体の鉛直面に複数点で固定されていることを特徴とする天井振動低減構造。
【発明の詳細な説明】
【技術分野】
【０００１】
本発明は、天井の振動を低減させる天井振動低減構造に関する。
【背景技術】
【０００２】
近年、地震時における大スパンの天井の落下が問題視されており、天井の落下防止策が求められている。従来、地震時における天井の落下防止策として、地震時における天井の振動を低減させる技術が種々提案されている。例えば、天井の振動を低減させる技術として、スラブ下面に鋼材からなる支持部材を垂設させ、この支持部材の下端を天井の天井パネルに取り付ける天井振動低減構造がある。このような構成からなる天井振動低減構造によれば、支持部材の靭性によって地震時における天井の揺れを制御することができる。また、天井の振動を低減させる技術として、スラブ下面に支持部材を垂設させ、この支持部材の下端と天井の天井パネルとの間にダンパーを介装させる構成の天井振動低減構造がある。このような構成からなる天井振動低減構造によれば、ダンパーによって地震時における天井の揺れを制御することができる。
【０００３】
また、従来、天井振動低減構造として、天井の野縁や野縁受けをブレースで耐震補強する技術が提案されている。この天井振動低減構造は、スラブ下面と野縁等との間に形鋼からなるブレースを介装させる構成のものである。このような構成からなる天井振動低減構造によれば、ブレースによって地震時における天井の揺れを制御することができる（例えば、特許文献１参照。）。
【特許文献１】特開２００３−１３８６８９号公報
【発明の開示】
【発明が解決しようとする課題】
【０００４】
しかしながら、上記した従来の天井振動低減構造では、既存の天井に対して上記した支持部材やダンパー、ブレース等を設置する場合、大掛かりな天井改修工事が必要となるという問題がある。具体的に説明すると、既存の天井に対して上記した支持部材等を設置する場合、まず、既存の天井パネルの一部又は全部をめくり取り、支持部材等の上端を固定するための固定金物をスラブ下面に設置する。その後、野縁等の間から支持部材等を入れ、支持部材等の上端を固定金物に固定させる。そして、支持部材の下端に天井パネル等を取り付けたり、支持部材の下端と天井パネルとの間にダンパーを介装させたり、ブレースの下端を野縁等に固定したりした後、最後に、取り外した天井パネルを元通りに取り付けて完了となる。上記したスラブ下面に固定金物を設置する作業や、比較的重量がある支持部材等を野縁等の上方に設置する作業は、野縁等の間から手を伸ばして行ったり野縁等の上に作業員が入って行ったりする必要があるため、煩雑で大掛かりな作業となる。
【０００５】
本発明は、上記した従来の問題が考慮されたものであり、煩雑で大掛かりな天井改修工事を行うことなく、容易に施工することができる天井振動低減構造を提供することを目的としている。
【課題を解決するための手段】
【０００６】
本発明に係る天井振動低減構造は、天井下地の下面に天井材が固定された構成からなる天井の振動を低減させる天井振動低減構造において、前記天井材の下方に、端部が建物躯体に固定されたワイヤーが緊張した状態で水平に伸張され、該ワイヤーと前記天井下地とが連結されていることを特徴としている。
【０００７】
このような特徴により、緊張させたワイヤーを介して天井下地と建物躯体とが繋げられるため、地震や風によって振動が生じたとき、天井と建物躯体とが一体に挙動することになる。これにより、振動発生時における天井の揺れが抑制される。
また、上記した構成からなる天井振動低減構造では、壁や柱側面、梁側面等の建物躯体にワイヤーの端部を固定され、そのワイヤーを、緊張させた状態で天井材の下に配するとともに天井下地に連結させるだけで形成されるため、天井下地の上方での作業が不要であり、また、扱う部品も軽量である。
【０００８】
また、本発明に係る天井振動低減構造は、前記ワイヤーが、前記天井材の下方で格子状に配されていることが好ましい。
これにより、格子状に配されたワイヤーによって天井の揺れが一層抑制される。
【０００９】
また、本発明に係る天井振動低減構造は、前記ワイヤー端部が、前記建物躯体の鉛直面に沿って伸張されて該建物躯体の鉛直面に複数点で固定されていることが好ましい。
これにより、ワイヤーの端部が建物躯体に確実に固定される。
【発明の効果】
【００１０】
本発明に係る天井振動低減構造によれば、地震などによって振動が生じた時に天井の振動を低減させて天井の落下防止を図ることができる。また、煩雑で大掛かりな天井改修工事を行うことなく、天井振動低減構造を容易に施工することができる。
【発明を実施するための最良の形態】
【００１１】
以下、本発明に係る天井振動低減構造の第１、第２の実施の形態について、図面に基いて説明する。
【００１２】
［第１の実施の形態］
まず、第１の実施の形態について説明する。
図１は第１の実施の形態における天井振動低減構造の構成を表す天井断面図であり、図２は図１に示すＡ―Ａ間の断面図であり、図３は第１の実施の形態における天井振動低減構造の構成を表す天井見上げ図である。
【００１３】
まず、天井振動低減構造により振動を低減させる天井１の構成について説明する。
図１、図２、図３に示すように、天井１は、スラブ６から吊り材２を介して吊持された吊り天井であり、スラブ６から垂設された吊り材２と、吊り材２の下端に支持された野縁受け３と、野縁受け３に取り付けられた野縁４と、野縁４に固定された天井材５とが備えられている。なお、上記した野縁受け３及び野縁４が「天井下地」に相当する。
【００１４】
吊り材２は、野縁受け３及び野縁４からなる天井下地を吊持するための部材であり、例えば、スラブ６の下面に埋設されたインサート７に上端が螺着されてスラブ６の下面から鉛直に吊り下げられた吊りボルトである。この吊り材２は、所定の間隔を置いて複数配設されている。複数の吊り材２の下端部には、野縁受け３を引っ掛けて支持するハンガー８がそれぞれ取り付けられている。ハンガー８は、鉛直方向に延在する板材からなり、その上部８ａがＬ字状に曲げられ、下部８ｂが上部８ａとは反対方向にＵ字状に曲げられた形状の部材である。上記した形状のハンバー８は、その上部８ａに形成された孔に吊り材２の下端部が挿通され、上下からナット９，１０で締め込まれることで、吊り材２の下端部に固定されている。
【００１５】
野縁受け３は、水平方向に延在する長尺のロッド状の部材であり、例えば、断面コ字形のＣ形チャンネルからなる。野縁受け３は、上記したハンガー８を介して複数の吊り材２の下端に支持されている。この野縁受け３は、複数のハンガー８の下部８ｂの中に嵌め込まれて載せられており、複数のハンガー８間に架け渡された状態で支持されている。また、野縁受け３は、所定の間隔を置いて複数並列に配設されている。
【００１６】
野縁４は、水平方向に延在する長尺のロッド状の部材であり、例えば、断面Ｃ形状のＣ形チャンネルからなる。野縁４は、野縁受け３の下方で野縁受け３と交差する方向（野縁受け３の直交方向）に延在されている。野縁４と野縁受け３とはグリップ１１を介して連結されており、平面的にみて野縁受け３と野縁４とが格子状に組まれている。グリップ１１は、鉛直方向に延在する板材からなり、その上部１１ａがＬ字状に曲げられ、下部の両側に鉤状の掛止部１１ｂがそれぞれ形成された形状の部材である。上記した形状のグリップ１１は、その上部１１ａが野縁受け３の上面に載せられて支持されている。グリップ１１の下部は、断面Ｃ形の野縁４の中に差し込まれており、野縁４は、グリップ１１下部の掛止部１１ｂに引っ掛けられて支持されている。
【００１７】
天井材５は、板状のパネル材からなる。天井材５は、野縁４の下面に貼り付けられており、野縁４に対してビス等によって固定されている。この天井材５は、水平に複数並べて配置される。
【００１８】
次に、上記した構成からなる天井１の振動を低減させる天井振動低減構造の構成について説明する。
図１、図２、図３に示すように、天井材５の下方には、天井材５に平行する方向（水平方向）に伸張されたワイヤー１２が配されている。このワイヤー１２は、野縁受け３に沿って延在されており、平面的にみて野縁受け３と重なる位置に配設されている。また、ワイヤー１２は、所定の間隔で配列されており、例えば、野縁受け３と同間隔で配列されている。
【００１９】
また、ワイヤー１２の端部は、下方に向けて屈曲され、壁面１３ａに沿って伸張されている。このワイヤー１２端部の先端部分は、壁１３に固定された被掛止部材１４に掛止されて固定されており、ワイヤー１２端部の屈曲部分は、固定部材１５によって壁面１３ａに固定されている。
また、ワイヤー１２は緊張状態で伸張されており、ワイヤー１２には引張力が常時作用している。
【００２０】
上記したワイヤー１２は、当該ワイヤー１２に沿って延在する野縁受け３に連結部材１６を介して所定のピッチで連結されている。具体的に説明すると、連結部材１６は、ボルトからなり、その上端部が、野縁受け３に形成された孔に挿通されて上下からナット１７，１８で締め込まれることで野縁受け３に固定されている。連結部材１６の下端部は、天井材５を貫通して天井材５の下方に突出されている。そして、連結部材１６の下端部は、ワイヤー１２に外装されたクランプ１９に取り付けられている。クランプ１９は、ワイヤー１２を把持する部材であり、クランプ１９には、板状の被取付部１９ａが付設されている。この被取付部１９ａに形成された孔に、連結部材１６の下端部が挿通され、上下からナット２０，２１で締め付けられて固定されている。
【００２１】
上記した構成の天井振動低減構造を既存の天井１に形成する場合、まず、連結部材１６を設置する箇所の天井材５を取り外す。連結部材１６を設置する箇所以外の天井材５は取り外す必要はない。その後、天井材５が取り外されて露出された野縁受け３に連結部材１６を取り付ける。一方、取り外された天井材５に、連結部材１６を貫通させる穴を開けておく。そして、その穴に連結部材１６の下端部を挿通させるように天井材５を元の位置に配置し、この天井材５を野縁４に固定させる。次に、天井材５から突出した連結部材１６の下端にクランプ１９を取り付ける。また、壁１３にワイヤー１２の端部を固定させ、ワイヤー１２を天井材５の下に緊張させた状態で伸張させる。このとき、ワイヤー１２の端部は、壁面１３ａに沿って伸張されており、被掛止部材１４及び固定部材１５により壁面１３ａに２点で固定されているため、ワイヤー１２の端部が壁１３に確実に固定される。次に、上記したワイヤー１２をクランプ１９で把持してワイヤー１２と野縁受け３とを連結させる。以上の作業により、天井振動低減構造が形成される。このように、上記した構成の天井振動低減構造では、野縁受け３の上方で行う作業がない。また、ワイヤー１２や連結部材１６、クランプ１９等を設置するだけであり、扱う部品が比較的軽量である。
【００２２】
また、上記した構成の天井振動低減構造では、地震等によって振動が発生すると、緊張させたワイヤー１２を介して野縁受け３と壁１３とが繋がっているため、地震等によって振動が生じたとき、天井１と壁１３とが一体に挙動することになる。
【００２３】
上記した構成からなる天井振動低減構造によれば、地震などによって振動が生じた時に天井１と壁１３とが一体に挙動するため、天井１の振動を抑制することができ、これにより、天井１の落下防止を図ることができる。
また、上記した構成からなる天井振動低減構造によれば、野縁受け３の上方で行う作業がなく、扱う部品もワイヤー１２等の比較的軽量なものであるため、煩雑で大掛かりな天井改修工事を行うことなく簡易に形成することができ、また、天井１に設けられた既存の照明や空調設備の機能を損なうことなく形成することができる。
【００２４】
［第２の実施の形態］
次に、第２の実施の形態について説明する。なお、上述した第１の実施の形態と同様の構成については第１の実施の形態と同様の符号を付してその説明を省略する。
図４は第２の実施の形態における天井振動低減構造の構成を表す天井断面図であり、図５は第２の実施の形態における天井振動低減構造の構成を表す天井見上げ図である。
【００２５】
図４、図５に示すように、天井材５の下方には、天井材５に平行する方向（水平方向）に緊張状態で伸張された第１、第２のワイヤー１１２Ａ，１１２Ｂが配されている。第１のワイヤー１１２Ａは、野縁受け３に沿って延在されており、平面的にみて野縁受け３と重なる位置に配設されている。一方、第２のワイヤー１１２Ｂは、第１のワイヤー１１２Ａに直交する方向に延在されており、野縁４と平行になっている。つまり、第１、第２のワイヤー１１２Ａ，１１２Ｂは、平面的にみて格子状に配されている。
【００２６】
上記した第１、第２のワイヤー１１２Ａ，１１２Ｂは、第１のワイヤー１１２Ａと第２のワイヤー１１２Ｂとの交点位置で、野縁受け３に連結部材１６を介して連結されている。具体的に説明すると、第１のワイヤー１１２Ａと第２のワイヤー１１２Ｂとの交点位置には、第１、第２のワイヤー１１２Ａ，１１２Ｂにそれぞれ外装されるクランプ１１９が取り付けられており、このクランプ１１９に付設された被取付部１１９ａに連結部材１６が固定されている。
【００２７】
上記した構成の天井振動低減構造では、天井材５の下方に格子状に配設された第１、第２のワイヤー１１２Ａ，１１２Ｂによって、天井１の揺れが一層抑制される。これにより、天井１の落下をより確実に防止することができる。
【００２８】
以上、本発明に係る天井振動低減構造の実施の形態について説明したが、本発明は上記した実施の形態に限定されるものではなく、その趣旨を逸脱しない範囲で適宜変更可能である。例えば、上記した実施の形態では、既存の天井１に対して天井振動低減構造を形成する場合について説明しているが、本発明は、天井１を新設する場合に、本発明に係る天井振動低減構造を形成してもよい。
【００２９】
また、上記した実施の形態では、吊り材２がスラブ６から垂設されているが、本発明は、吊り材２が梁から垂設されている構成であってもよく、或いは、スラブや梁等の建物の躯体ではなく建物躯体に取り付けられた横架材等に吊り材２が垂設されている構成であってもよい。
また、上記した実施の形態では、ワイヤー１２の端部が壁１３に固定されているが、本発明は、ワイヤーを固定させる建物躯体が壁１３以外であってもよく、例えば、ワイヤー１２の端部が、柱や梁の側面に固定されていてもよい。
また、上記した実施の形態では、野縁受け３と野縁４とからなる天井下地が備えられた構成になっているが、本発明は、天井下地は如何なる構成のものでもよく、例えば、野縁受け３が無く、野縁４のみからなる天井下地であってもよい。
【００３０】
また、上記した実施の形態では、ワイヤー１２（第１のワイヤー１１２Ａ）が野縁受け３に沿って延在されているが、本発明は、図６に示すように、ワイヤー２１２が野縁４に沿って延在されていてもよい。
また、上記した実施の形態では、野縁受け３にワイヤー１２（第１のワイヤー１１２Ａ）が連結されているが、本発明は、図６に示すように、ワイヤー２１２が野縁４に連結された構成であってもよい。
【００３１】
また、上記した実施の形態では、ワイヤー１２（第１のワイヤー１１２Ａ）が、当該ワイヤー１２（第１のワイヤー１１２Ａ）に沿って延在する部材（野縁受け３）に連結されているが、本発明は、ワイヤーが、そのワイヤーに直交する方向に延在する部材に連結された構成であってもよい。例えば、図７に示すように、ワイヤー３１２が野縁４に直交する方向（野縁受け３と平行する方向）に延在する場合に、ワイヤー３１２と野縁４との交点位置において当該ワイヤー３１２と野縁４とを連結してもよい。勿論、ワイヤーが野縁受け３に直交する方向（野縁４と平行する方向）に延在する場合に、ワイヤーと野縁受け３との交点位置において当該ワイヤーと野縁受け３とを連結してもよい。
【００３２】
また、上記した実施の形態では、ワイヤー１２の端部が、壁面１３ａに沿って伸張して被掛止部材１４及び固定部材１５によって２点で固定されているが、本発明は、図６に示すように、ワイヤー２１２の端部が、壁面１３ａ（建物躯体の鉛直面）に沿って伸張してなく、壁面１３ａに１点で固定されていてもよい。また、本発明は、図７に示すように、ワイヤー３１２の端部が、壁面１３ａに沿って伸張され、壁面１３ａに３点以上で固定されていてもよい。
【００３３】
また、上記した実施の形態では、ワイヤー１２（第１のワイヤー１１２Ａ、第２のワイヤー１１２Ｂ）は、ボルトからなる連結部材１６を介して野縁受け３に連結されているが、本発明は、ボルト以外の連結部材を介してワイヤーと天井下地とが連結されていてもよい。例えば、形鋼からなる連結部材を介してワイヤーと天井下地とが連結されていてもよい。
【００３４】
また、上記した第２の実施の形態では、格子状に配設された第１のワイヤー１１２Ａと第２のワイヤー１１２Ｂとは、それらの交点位置で野縁受け３に連結されているが、本発明は、格子状に配設された第１のワイヤー１１２Ａと第２のワイヤー１１２Ｂとが交点位置以外の箇所で別々に天井下地に連結されていてもよい。例えば、第１のワイヤー１１２Ａが野縁受け３に連結され、第２のワイヤー１１２Ｂが野縁４に連結されていてもよい。
【００３５】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００３６】
【図１】本発明に係る天井振動低減構造の第１の実施の形態を説明するための天井断面図である。
【図２】本発明に係る天井振動低減構造の第１の実施の形態を説明するための図１のＡ−Ａ間の断面図である。
【図３】本発明に係る天井振動低減構造の第１の実施の形態を説明するための天井見上げ図である。
【図４】本発明に係る天井振動低減構造の第２の実施の形態を説明するための天井断面図である。
【図５】本発明に係る天井振動低減構造の第２の実施の形態を説明するための天井見上げ図である。
【図６】本発明に係る天井振動低減構造の他の実施例を説明するための天井断面図である。
【図７】本発明に係る天井振動低減構造の他の実施例を説明するための天井断面図である。
【符号の説明】
【００３７】
１  天井
３  野縁受け（天井下地）
４  野縁（天井下地）
５  天井材
１２，１１２Ａ，１１２Ｂ，２１２，３１２  ワイヤー
１３  壁（建物躯体）
１３ａ  壁面（鉛直面）
【図１】
2008121371.tif 000003
【図２】
2008121371.tif 000004
【図３】
2008121371.tif 000005
【図４】
2008121371.tif 000006
【図５】
2008121371.tif 000007
【図６】
2008121371.tif 000008
【図７】
2008121371.tif 000009